(57)【特許請求の範囲】
【請求項１】
システムバスを介してオペレーティングシステム（ＯＳ）、アプリケーションプログラム（ＡＰ）の制御を行うシステム制御部と、ＴＶ画像データを受信するＴＶ画像受信機と、前記ＴＶ画像データを表示する液晶表示部および外部表示部と、前記ＴＶ画像データを前記外部表示部へ表示させる際の表示位置、表示サイズの制御を行う表示コントローラと、前記ＴＶ画像受信機からの信号と前記表示コントローラからの信号とが入力され何れの信号を出力するかを選択するタイミング調整・信号セレクタ部と、電源を制御してパソコン内部に電源供給を行う電源制御部と、前記電源制御部への電源供給のオン・オフを行う電源スイッチおよびＴＶスイッチとを有し、前記ＴＶスイッチをオンにしたとき、前記電源制御部は、前記ＴＶ画像受信機と前記タイミング調整・信号セレクタ部と前記液晶表示部とに電源供給を行い、前記タイミング調整・信号セレクタ部は、前記ＴＶ画像受信機からの信号を選択し、前記液晶表示部の信号入力規格に合致した信号動作タイミングおよび信号形式に調整・変換し、前記液晶表示部および前記外部表示部に出力し、前記電源スイッチをオンにしたとき、前記電源制御部は、前記ＴＶ画像受信機と前記タイミング調整・信号セレクタ部と前記液晶表示部と前記システム制御部と前記表示コントローラとに電源供給を行い、前記タイミング調整・信号セレクタ部は、前記表示コントローラからの信号を選択し、信号タイミングおよび信号形式に調整・変換せずに前記液晶表示部に出力し、前記表示コントローラは、前記外部表示部に出力することを特徴とするＴＶ画像表示機能付きパソコン。
【請求項２】
前記ＴＶスイッチをオンにしたとき、前記電源制御部は、前記システム制御部と前記表示コントローラとに電源供給を行わないことを特徴とする請求項１記載のＴＶ画像表示機能付きパソコン。
【請求項３】
前記電源スイッチをオンにしたとき、前記システム制御部は、オペレーティングシステムの起動を開始し、その後、前記ＴＶ画像データの受信・画像表示を行う前記アプリケーションプログラムを起動すると、前記液晶表示部および前記外部表示部に前記ＴＶ画像データを表示することを特徴とする請求項１記載のＴＶ画像表示機能付きパソコン。
【請求項４】
前記電源スイッチをオンにしたとき、前記システム制御部は、オペレーティングシステムの起動を開始し、その後、パソコン用の前記アプリケーションプログラムを起動すると、前記液晶表示部および前記外部表示部にパソコン用データを表示することを特徴とする請求項１記載のＴＶ画像表示機能付きパソコン。
【請求項５】
前記外部表示部は、コネクタを介してパソコン本体と接続され、前記パソコン本体の外部に設置されることを特徴とする請求項１記載のＴＶ画像表示機能付きパソコン。
【請求項６】
前記外部表示部は、ＣＲＴディスプレイ、プロジェクタ、ＴＶモニターの何れかを有することを特徴とする請求項１記載のＴＶ画像表示機能付きパソコン。
【請求項７】
電源制御部への電源供給のオン・オフを電源スイッチおよびＴＶスイッチにより行うステップと、電源を制御してパソコン内部に電源供給を前記電源制御部により行うステップと、システムバスを介してオペレーティングシステム（ＯＳ）、アプリケーションプログラム（ＡＰ）の制御をシステム制御部により行うステップと、ＴＶ画像データをＴＶ画像受信機により受信するステップと、前記ＴＶ画像データを外部表示部へ表示させる際の表示位置、表示サイズの制御を表示コントローラにより行うステップと、前記ＴＶ画像受信機からの信号と前記表示コントローラからの信号とが入力され何れの信号を出力するかをタイミング調整・信号セレクタ部により選択するステップと、前記ＴＶ画像データを液晶表示部および外部表示部により表示するステップとを有し、前記ＴＶスイッチをオンにしたとき、前記電源制御部により前記ＴＶ画像受信機と前記タイミング調整・信号セレクタ部と前記液晶表示部とに電源供給を行うステップと、前記タイミング調整・信号セレクタ部により、前記ＴＶ画像受信機からの信号を選択するステップと、前記液晶表示部の信号入力規格に合致した信号動作タイミングおよび信号形式に調整・変換するステップと、前記液晶表示部および前記外部表示部に出力するステップとを有し、前記電源スイッチをオンにしたとき、前記電源制御部により前記ＴＶ画像受信機と前記タイミング調整・信号セレクタ部と前記液晶表示部と前記システム制御部と前記表示コントローラとに電源供給を行うステップと、前記タイミング調整・信号セレクタ部により、前記表示コントローラからの信号を選択するステップと、信号タイミングおよび信号形式に調整・変換せずに前記液晶表示部に出力するステップと、前記表示コントローラにより前記外部表示部に出力するステップとを有することを特徴とするＴＶ画像表示機能付きパソコンの電源制御方法。
【発明の詳細な説明】
【０００１】
【発明の属する技術分野】
本発明は、ＴＶ（Ｔｅｌｅｖｉｓｉｏｎ）画像表示機能付きパソコンおよびその電源制御方法に関し、特に、パソコンのオペレーティングシステム（ＯＳ）が起動するまでの時間とＴＶ画像データ受信・画像表示のアプリケーションプログラムの起動に要する時間とを省略して、素早くＴＶ画像を表示部に表示できるインスタントＴＶ機能を有するＴＶ画像表示機能付きパソコンおよびその電源制御方法に関する。
【０００２】
【従来の技術】
次に、従来のＴＶ画像表示機能付きパソコンに関して、図面を参照して説明する。
【０００３】
図３は、従来のＴＶ画像表示機能付きパソコンを示す概略構成ブロック図である。
【０００４】
なお、図３中において、ＴＶ画像データ経路を破線矢印で、電源スイッチをオン時に電源が供給される構成要素を二重四角枠で囲って示している。
【０００５】
図３を参照すると、ＴＶ画像表示機能付きパソコン１００は、システムバス４を介してオペレーティングシステム、アプリケーションプログラムの制御を行うシステム制御部１７と、ＴＶ画像データを受信するＴＶ画像受信機（ＴＶチューナ）６と、ＴＶ画像データを表示する液晶表示部７および外部表示部８と、ＴＶ画像データを液晶表示部７および外部表示部８へ表示させる際の表示位置、表示サイズの制御を行う表示コントローラ５と、電源を制御しシステム制御部１７とＴＶ画像受信機（ＴＶチューナ）６と表示コントローラ５と液晶表示部７とに電源供給を行う電源制御部１６と、電源制御部１６への電源供給のオン・オフを行う電源スイッチ２１とから構成される。
【０００６】
また、外部表示部８は、コネクタ９を介してパソコン本体１１０の外部に接続され、その電源は、電源制御部１６とは独立して、別個に設けられる構成となっている。
【０００７】
次に、上述のように構成されたＴＶ画像表示機能付きパソコン１００の動作について、図３を参照して説明する。
【０００８】
まず、電源スイッチ２１をオンにし、電源制御部１６への電源供給を行うと、電源制御部１６の制御により、システム制御部１７、ＴＶ画像受信機（ＴＶチューナ）６、表示コントローラ５、液晶表示部７とに各々電源が供給される。
【０００９】
電源が供給されると、システム制御部１７は、オペレーティングシステム（ＯＳ）の起動を開始し、その後、ＴＶ画像データの受信・画像表示を行うアプリケーションプログラム（ＡＰ）を起動する。
【００１０】
アプリケーションプログラム（ＡＰ）の起動後、ＴＶ画像受信機６は、受信したＴＶ画像データをシステムバス４を経由して、表示コントローラ５に送信する。
【００１１】
ＴＶ画像データを受信した表示コントローラ５は、表示位置、表示サイズの制御を行い、色データ（ＲＧＢ）として、バス１８を介してＴＶ画像データを液晶表示部７に表示させる。
【００１２】
なお、外部表示部８は、表示コントローラ５からバス１２を介してＴＶ画像データが送信され、外部表示部８の電源が投入されていれば、ＴＶ画像データが表示される。
【００１３】
上述のように、ＴＶ画像表示機能付きパソコン１００は、ＴＶ画像データを液晶表示部７、外部表示部８に表示しようとしたとき、電源スイッチ２１をオンして電源を投入後、オペレーティングシステム（ＯＳ）を立ち上げる時間と、その後のＴＶ画像・受信表示用アプリケーションプログラムを起動する時間とが必要となり、素早いＴＶ受信画像の表示を行うことができないという欠点がある。
【００１４】
また、ＴＶ画像受信機（ＴＶチューナ）６に加え、パソコン用データ表示時と同一の全要素に電源を供給しており、無駄な電力を消費することになるという欠点がある。
【００１５】
【発明が解決しようとする課題】
以上説明したように、従来のＴＶ画像表示機能付きパソコンは、ＴＶ画像受信機で受信したＴＶ画像データを表示部に表示する場合、電源を投入後、オペレーティングシステムを立ち上げる時間と、ＴＶ画像・受信表示用アプリケーションプログラムを起動する時間とが必要となり、素早くＴＶ受信画像の表示を行うことができないという課題がある。
【００１６】
また、ＴＶ画像受信機に加え、パソコン用データ表示と同一の全要素に電源を供給しているため、消費電力が大きくなるという課題がある。
【００１７】
本発明の目的は、上記欠点を解決すべく、オペレーティングシステムが起動するまでの時間とＴＶ画像データ受信・画像表示のアプリケーションプログラムの起動に要する時間とを省略して、ＴＶ画像データを表示部に素早く表示でき、且つ、ＴＶ画像受信機とＴＶ画像データの表示に必要な要素にのみ電源供給を行うことにより、消費電力を節約することのできるＴＶ画像表示機能付きパソコンを提供することにある。
【００１８】
【課題を解決するための手段】
本発明のＴＶ画像表示機能付きパソコンは、システムバスを介してオペレーティングシステム（ＯＳ）、アプリケーションプログラム（ＡＰ）の制御を行うシステム制御部と、ＴＶ画像データを受信するＴＶ画像受信機と、ＴＶ画像データを表示する液晶表示部および外部表示部と、ＴＶ画像データを外部表示部へ表示させる際の表示位置、表示サイズの制御を行う表示コントローラと、ＴＶ画像受信機からの信号と表示コントローラからの信号とが入力され何れの信号を出力するかを選択するタイミング調整・信号セレクタ部と、電源を制御してパソコン内部に電源供給を行う電源制御部と、電源制御部への電源供給のオン・オフを行う電源スイッチおよびＴＶスイッチとを有し、ＴＶスイッチをオンにしたとき、電源制御部は、ＴＶ画像受信機とタイミング調整・信号セレクタ部と液晶表示部とに電源供給を行い、タイミング調整・信号セレクタ部は、ＴＶ画像受信機からの信号を選択し、液晶表示部の信号入力規格に合致した信号動作タイミングおよび信号形式に調整・変換し、液晶表示部および外部表示部に出力し、電源スイッチをオンにしたとき、電源制御部は、ＴＶ画像受信機とタイミング調整・信号セレクタ部と液晶表示部とシステム制御部と表示コントローラとに電源供給を行い、タイミング調整・信号セレクタ部は、表示コントローラからの信号を選択し、信号タイミングおよび信号形式に調整・変換せずに液晶表示部に出力し、表示コントローラは、外部表示部に出力することを特徴とする。
【００１９】
ＴＶスイッチをオンにしたとき、電源制御部は、システム制御部と表示コントローラとに電源供給を行わないことを特徴とする。
【００２２】
電源スイッチをオンにしたとき、システム制御部は、オペレーティングシステムの起動を開始し、その後、ＴＶ画像データの受信・画像表示を行うアプリケーションプログラムを起動すると、液晶表示部および外部表示部にＴＶ画像データを表示することを特徴とする。
【００２３】
電源スイッチをオンにしたとき、システム制御部は、オペレーティングシステムの起動を開始し、その後、パソコン用のアプリケーションプログラムを起動すると、液晶表示部および外部表示部にパソコン用データを表示することを特徴とする。
【００２４】
外部表示部は、コネクタを介してパソコン本体と接続され、パソコン本体の外部に設置されることを特徴とする。
【００２５】
外部表示部は、ＣＲＴディスプレイ、プロジェクタ、ＴＶモニターの何れかを有することを特徴とする。
本発明のＴＶ画像表示機能付きパソコンの電源制御方法は、電源制御部への電源供給のオン・オフを電源スイッチおよびＴＶスイッチにより行うステップと、電源を制御してパソコン内部に電源供給を電源制御部により行うステップと、システムバスを介してオペレーティングシステム（ＯＳ）、アプリケーションプログラム（ＡＰ）の制御をシステム制御部により行うステップと、ＴＶ画像データをＴＶ画像受信機により受信するステップと、ＴＶ画像データを外部表示部へ表示させる際の表示位置、表示サイズの制御を表示コントローラにより行うステップと、ＴＶ画像受信機からの信号と表示コントローラからの信号とが入力され何れの信号を出力するかをタイミング調整・信号セレクタ部により選択するステップと、ＴＶ画像データを液晶表示部および外部表示部により表示するステップとを有し、ＴＶスイッチをオンにしたとき、電源制御部によりＴＶ画像受信機とタイミング調整・信号セレクタ部と液晶表示部とに電源供給を行うステップと、タイミング調整・信号セレクタ部により、ＴＶ画像受信機からの信号を選択するステップと、液晶表示部の信号入力規格に合致した信号動作タイミングおよび信号形式に調整・変換するステップと、液晶表示部および外部表示部に出力するステップとを有し、電源スイッチをオンにしたとき、電源制御部によりＴＶ画像受信機とタイミング調整・信号セレクタ部と液晶表示部とシステム制御部と表示コントローラとに電源供給を行うステップと、タイミング調整・信号セレクタ部により、表示コントローラからの信号を選択するステップと、信号タイミングおよび信号形式に調整・変換せずに液晶表示部に出力するステップと、表示コントローラにより外部表示部に出力するステップとを有することを特徴とする。
【００２６】
【発明の実施の形態】
次に、本発明のＴＶ画像表示機能付きパソコンの一実施の形態について、図面を参照して説明する。
【００２７】
図１（ａ）は、ＴＶスイッチ２をオンにしたとき、電源が供給される構成要素を二重四角枠で囲って示した本発明のＴＶ画像表示機能付きパソコンの一実施の形態を示す概略構成ブロック図、図１（ｂ）は、電源スイッチ１をオンにしたとき、電源が供給される構成要素を四角枠で囲って示した概略構成ブロック図である。
【００２８】
なお、図３の従来のＴＶ画像表示機能付きパソコン１００と同一構成要素に関しては、同一符号で表記している。
【００２９】
図１（ａ）、（ｂ）を参照すると、ＴＶ画像表示機能付きパソコン３０は、システムバス４を介してオペレーティングシステム、アプリケーションプログラムの制御を行うシステム制御部１７と、ＴＶ画像データを受信するＴＶ画像受信機（ＴＶチューナ）６と、ＴＶ画像データを表示する液晶表示部７および外部表示部８と、ＴＶ画像データを外部表示部８へ表示させる際の表示位置、表示サイズの制御を行う表示コントローラ５と、ＴＶ画像受信機６からの信号と表示コントローラ５からの信号とが入力され何れの信号を出力するかを選択するタイミング調整・信号セレクタ部１０と、電源を制御しパソコン内部に電源供給を行う電源制御部３と、電源制御部３への電源供給のオン・オフを行う電源スイッチ１およびＴＶスイッチ２とで構成され、ＴＶスイッチ２をオンにしたとき、電源制御部３は、ＴＶ画像受信機６とタイミング調整・信号セレクタ部１０と液晶表示部７とに電源供給を行い、タイミング調整・信号セレクタ部１０は、ＴＶ画像受信機６からの信号を選択し、液晶表示部７の信号入力規格に合致した信号タイミングおよび信号形式に調整・変換し、液晶表示部７および外部表示部８に出力するよう構成されている。
【００３０】
また、電源スイッチ１をオンにしたとき、電源制御部３は、ＴＶ画像受信機６とタイミング調整・信号セレクタ部１０と液晶表示部７とシステム制御部１７と表示コントローラ５とに電源供給を行い、タイミング調整・信号セレクタ部１０は、表示コントローラ５からの信号を選択し、信号タイミングおよび信号形式に調整・変換せずに液晶表示部７および外部表示部８に出力するよう構成されている。
【００３１】
外部表示部８は、ＣＲＴディスプレイ、プロジェクタ、ＴＶモニターなどの表示機器から構成されている。
【００３２】
次に、上述のように構成されたＴＶ画像表示機能付きパソコン３０の動作について、図面を参照して説明する。
【００３３】
図２は、ＴＶ画像表示機能付きパソコン３０の動作を示すフローチャートである。
【００３４】
図２、および図１（ａ）、（ｂ）を参照すると、まず、スイッチ押下して（Ｓ１）、電源スイッチ１とＴＶスイッチ２の何れかをオンにする（Ｓ２）。
【００３５】
ＴＶスイッチ２をオンにした場合、電源制御部３への電源供給が行われ、電源制御部３の制御により、ＴＶ画像受信機（ＴＶチューナ）６とタイミング調整・信号セレクタ部１０と液晶表示部７とに各々電源が供給される（Ｓ３）。
【００３６】
電源が供給されると、ＴＶ画像受信機（ＴＶチューナ）６は、受信したＴＶ画像データを出力し、バス１３を経由してタイミング調整・信号セレクタ部１０に入力される（Ｓ４）。
【００３７】
タイミング調整・信号セレクタ部１０では、入力されたＴＶ画像データを液晶表示部７、外部表示部８の信号入力規格に合致した信号タイミングおよび信号形式に変換・調整し（Ｓ５）、バス１４を経由し液晶表示部７に、バス１５からバス１２を経て外部表示部８に各々ＴＶ画像データを送信し（Ｓ６）、液晶表示部７、外部表示部８にＴＶ画像データを表示させる（Ｓ７）。
【００３８】
なお、タイミング調整・信号セレクタ部１０のタイミング調整は、ＴＶ画像受信機（ＴＶチューナ）６から入力されたＮＴＳＣ信号（輝度信号／色信号／同期信号）の動作タイミングを液晶表示部７、外部表示部８に適合した動作タイミングに調整すると共に、ＮＴＳＣ信号からＲＧＢ（Ｒｅｄ  Ｇｒｅｅｎ  Ｂｌｕｅ）信号への変換をも行う。
【００３９】
上記（Ｓ２）で電源スイッチ２をオンにした場合、電源制御部３への電源供給が行われ、電源制御部３の制御により、システム制御部１７とＴＶ画像受信機（ＴＶチューナ）６と表示コントローラ５とタイミング調整・信号セレクタ部１０と液晶表示部７とに各々電源が供給される（Ｓ８）。
【００４０】
電源が供給されると、システム制御部１７は、オペレーティングシステム（ＯＳ）の起動を開始し（Ｓ９）、その後、アプリケーションプログラム（ＡＰ）を起動するが、操作者がＴＶを見るかパソコンとして動作させるかを選択し（Ｓ１０）、ＴＶを見る場合は、ＴＶ画像データの受信・画像表示を行うアプリケーションプログラムを起動する（Ｓ１１）。
【００４１】
ＴＶ画像データの受信・画像表示を行うアプリケーションプログラムの起動後、ＴＶ画像受信機６は、受信したＴＶ画像データをシステムバス４を経由して、表示コントローラ５に送信し（Ｓ１２）、ＴＶ画像データを受信した表示コントローラ５は、表示位置、表示サイズの制御を行い、色データ（ＲＧＢ）として、バス１１を介してタイミング調整・信号セレクタ部１０に送信し、タイミング調整・信号セレクタ部１０からバス１４経由で液晶表示部７に送信され、一方、外部表示部８には表示コントローラ５からバス１２経由で送信され（Ｓ１３）、ＴＶ画像データが液晶表示部７、外部表示部８に表示される（Ｓ１４）。
【００４２】
電源スイッチ２をオンにした場合、タイミング調整・信号セレクタ部１０は、表示コントローラ５からの信号をセレクトし、信号タイミングおよび信号形式の調整・変換を行わずに液晶表示部７に出力することになる。
【００４３】
なお、コネクタ９を介してパソコン本体２０と接続され、パソコン本体２０の外部に設置され外部表示部８は、その電源がパソコン本体２０とは独立して別個に設けられているため、外部表示部８の電源が投入されていれば、ＴＶ画像データが表示される。
【００４４】
次に、上記（Ｓ１０）において、操作者がパソコンとして動作させて使用する場合は、ワープロなどのパソコン用アプリケーションプログラムを起動すると（Ｓ１５）、表示コントローラ５からバス１１を介してタイミング調整・信号セレクタ部１０経由で液晶表示部７に、外部表示部８には表示コントローラ５からバス１２経由でパソコン用データが各々送信され（Ｓ１６）、パソコン用データが液晶表示部７、外部表示部８に表示される（Ｓ１７）。
【００４５】
上述のように、ＴＶ画像表示機能付きパソコン３０は、ＴＶスイッチ２をオンにした場合、電源制御部の制御により、ＴＶ画像受信機６と、ＴＶ画像データの表示に必要なタイミング調整・信号セレクタ部１０と液晶表示部７とにのみ電源供給を行い、他のパソコン本体２０の構成要素には電源の供給を行わずに液晶表示部７、外部表示部８にＴＶ画像データを表示できるため、オペレーティングシステムが起動するまでの時間とＴＶ画像データ受信・画像表示のアプリケーションプログラムの起動に要する時間とを省略して、ＴＶ画像データを表示部に素早く表示でき、且つ、消費電力を節約することができるという効果がある。
【００４６】
【発明の効果】
以上説明したように、本発明のＴＶ画像表示機能付きパソコンは、オペレーティングシステムが起動するまでの時間とＴＶ画像データ受信・画像表示のアプリケーションプログラムの起動に要する時間とを省略して、ＴＶ画像データを表示部に素早く表示できるという効果がある。
【００４７】
また、ＴＶ画像受信機とＴＶ画像データの表示に必要な要素にのみ電源供給を行うことにより、消費電力を節約することができるという効果がある。
【図面の簡単な説明】
【図１】本発明のＴＶ画像表示機能付きパソコンの一実施の形態を示す概略構成ブロック図である。
【図２】本発明のＴＶ画像表示機能付きパソコンの動作を示すフローチャートである。
【図３】従来のＴＶ画像表示機能付きパソコンを示す概略構成ブロック図である。
【符号の説明】
１、２１    電源スイッチ
２    ＴＶスイッチ
３、１６    電源制御部
４    システムバス
５    表示コントローラ
６    ＴＶ画像受信機（ＴＶチューナ）
７    液晶表示部
８    外部表示部
９    コネクタ
１０    タイミング調整・信号セレクタ部
１１、１２    バス
１３、１４    バス
１５、１８    バス
１７    システム制御部
２０、１１０    パソコン本体
３０、１００    ＴＶ画像表示機能付きパソコン
【図１】
0003721120.tif 000002
【図２】
0003721120.tif 000003
【図３】
0003721120.tif 000004